(57)【要約】      （修正有）【課題】所定角度で斜めに挿抜することを基本とするコネクターにｍＳＡＴＡ規格  ＳＳＤ，Ｍ．２規格  ＳＳＤなどのカードモジュールを挿抜する場合に、コネクターが指定する傾斜角度を維持してカードモジュールを確実、簡単に挿抜可能するためのカードモジュールの挿抜構造、ならびにコネクターが劣化、破損した場合に低コストで簡単に交換を可能とするコネクターユニットで構成するカードモジュールの挿抜構造を提供する。【解決手段】カードモジュールとコネクター４の挿入口とを所定の傾斜角度に設定し、傾斜角度に沿ってカードモジュールをコネクター４の挿入口に装着するためのガイド構造１、ならびにガイド構造１の傾斜角度を維持、解除するためのロック構造３により構成し、カードモジュールを所定の傾斜角度で挿抜する構造のコネクター４を小サイズの基板上に搭載して構成するコネクターユニット５をカードモジユールの挿抜コネクターとする。【選択図】図１
0003215830.tif 000002
【実用新案登録請求の範囲】
【請求項１】
ｍＳＡＴＡ規格  ＳＳＤ，Ｍ．２規格  ＳＳＤなどのカードモジュールを所定の傾斜角度での挿抜を推奨する構造のコネクターの挿入口でカードモジュールのカード端子を挿抜する構造に関して、カードモジュールとコネクターの挿入口とを所定の傾斜角度に設定し、傾斜角度に沿ってカードモジュールをコネクターの挿入口に装着するためのガイド構造、ならびにガイド構造の傾斜角度を維持、解除するためのロック構造により構成する事により、作業性に優れ、コネクターのコネクトピンの耐久性を大幅に向上させるカードモジュールの挿抜構造。
【請求項２】
カードモジュールを所定の傾斜角度で挿抜する構造のコネクターを、小サイズの基板上に搭載して構成するコネクターユニットをカードモジユールの挿抜コネクターとすることにより、コネクターのコネクトピンが劣化、破損した場合に低コストで容易にコネクターの交換を可能とする、請求項１に記載されるカードモジュールの挿抜構造。
【考案の詳細な説明】
【技術分野】
【０００１】近年、パソコンなどへの採用が盛んになりつつあるシリコンストレージのＭ．２  ＳＳＤなどは極めて小サイズのカードモジュールで大容量、高速なストレージが提供されるが、Ｍ．２  ＳＳＤパッケージに適用するコネクターは挿抜性を高め、接点寿命を高めるために、カードモジュールを所定角度で斜めに挿抜するコネクターの採用が主流となっている。しかし、かかるコネクターは小型であり、カードモジュールと接触するコネクトピンは極めて微細な構成のため、所定角度で斜めに挿抜する作業性は悪く、わずかな挿抜変位によりコネクターの耐久性が著しく接点が劣化してコネクターが直ぐへたるため、コネクターの交換頻度が極めて高いという課題を抱えている。
【背景技術】
【０００２】量産工程においてｍＳＡＴＡ規格  ＳＳＤ，Ｍ．２規格  ＳＳＤなどのカードモジュールにデータの書き込み、検査などを行う場合は、カードモジュールを所定角度で斜めに挿抜すること基本とするコネクターが主流となっているが、所定角度で斜めに挿抜するにはコツや作業時間を必要とするなど作業性が悪いとともに、少々の挿抜変位によって接点が変形、劣化するためコネクターの消耗が早く、交換の手間とコストが必要である。これらの課題を解決するために、クリップ構造による端子接触を行う接続具も販売されているものの、極めて高価であり量産工程には適さない。
【考案が解決しようとする課題】
【０００３】所定角度で斜めに挿抜することを基本とするコネクターにｍＳＡＴＡ規格  ＳＳＤ，Ｍ．２規格  ＳＳＤなどのカードモジュールを挿抜する場合に、コネクターが指定する傾斜角度を維持してカードモジュールを確実、簡単に挿抜可能するためのカードモジュールの挿抜構造、ならびにコネクターが劣化、破損した場合に低コストで簡単に交換を可能とするコネクターユニットで構成するカードモジュールの挿抜構造を提案する。
【課題を解決するための手段】
【０００４】カードモジュールとコネクターの挿入口とを所定の傾斜角度に設定し、傾斜角度に沿ってカードモジュールをコネクターの挿入口に装着するためのガイド構造、ならびにガイド構造の傾斜角度を維持、解除するためのロック構造により構成し、カードモジュールを所定の傾斜角度で挿抜する構造のコネクターを小サイズの基板上に搭載して構成するコネクターユニットをカードモジユールの挿抜コネクターとする。
【考案の効果】
【０００５】カードモジュールのコネクターへの挿入時には、カードモジュールとコネクターのカードモジュール挿入口とを所定の傾斜状態に設定して傾斜角度に沿ってカードモジュールをコネクターの挿入口に装着し、カードモジュールを装着後に傾斜を解除する。カードモジュールの抜き取り時にはカードモジュールとコネクターの挿入口とを所定の傾斜角度に復帰させた状態で抜き取ることにより、作業性に優れ、コネクターのコネクトピンの耐久性を大幅に向上させることが出来る。また、カードモジュールを所定の傾斜角度で挿抜する構造のコネクターを小サイズの基板上に搭載して構成するコネクターユニットをカードモジユールの挿抜コネクターとすることにより、コネクターが劣化、破損した場合に低コストでかつ交換を容易にすることが出来る。
【考案を実施するための形態】
【０００６】図１は本考案によるカードモジュールの挿抜構造の概念図を示し、１はＭ．２規格  ＳＳＤのカードモジュールとコネクター４の挿入口とを所定の傾斜角度に設定し、傾斜角度に沿ってカードモジュールをコネクターの挿入口に装着するためのガイド構造であり、３はガイド構造に所定の傾斜を設定、解除するロック構造を示し、７はカードモジュールの押えピンを示す。Ｍ．２規格  ＳＳＤのカードモジュール１０は図４に示すごとく、直方体で、短辺に０．５ｍｍのピッチで７５のポジションで最大６７のカード端子ＴＰを持つ。カード端子の逆側の辺の中央に半円形の止め溝１１がありネジ１本で固定される。幅は１２，１６，２２，３０ｍｍの４種、長さは１６，２６，３０，３８，４２，６０，８０，１１０ｍｍの８種類からなる。タイプによって最大の厚みは異なるが、最大で片面ごとに１．５ｍｍなどが定義されている。
【０００７】図５は所定角度で斜めに挿抜するＭ．２規格のコネクター４で基盤タイプのコネクターユニットを
形成した例を示す。コネクター４は７５のポジションで最大６７のコネクトピンＣＰを有するが、最大の問題は保証される挿抜回数の少なさであり、規定する傾斜角度で挿抜する場合はコネクトピン自体は最大６０回程度の抜き差しに耐えるものとされるが、カードモジュール１０とコネクター４とを所定の傾斜角度を維持して挿抜することは容易ではなく、挿抜の角度や方向のバラツキによりコネクトピンＣＰに傷を付けたり破損したりする事故が発生し易い。図６にコネクターへの挿抜状態を示し、（１）でカードモジュール１０をコネクター４に装着するが、装着状態（２）では、カードモジル１０はコネクターが指定する傾斜角度に保たれており、この後にカードモジュール１０を水平方向に倒して止め溝１１を押えピン７で固定する（３）の手順によりコネクトピントＣＰとカード端子ＴＰの接触が確立される。カードモジュールをコネクターから抜き取る場合は（３），（２），（１）の順に装着手順の逆操作を行う。
【０００８】図２に従来の一般的な挿抜構造を挿抜手順（１），（２），（３）で示しているが、規定される傾斜角度を確実、安定に保ちながら挿抜することは容易では無いことが判る。コネクター４は一般の回路部品とともに組み立てられている。図３に本考案によるカードモジュールの挿抜構造図１を利用した場合の挿抜手順を示す。ロック構造を立てた状態でカードモジユール１０をガイド構造１の上に置いて、ガイド構造１のスライドに沿ってカードモジユール１０をコネクター４の挿入口から挿入し（１）、カード端子ＴＰがコネクトピンＣＰに確実に挿入された状態でロック構造を倒して（２）、カードモジユール１０を水平に倒してカード押えピン７で固定（３）してコネクトピンＣＰとカード端子ＴＰの接触を確立させる。カードモジユール１０をコネクター４から抜き取る場合は、この逆の操作手順とする。なおガイド構造の傾斜の設定、解除はロック構造を立てた状態では傾斜、倒した状態では水平の状態とする。図７は挿抜に必要となる所定の傾斜角度をカードモジユール１０ではなくコネクター４を傾斜させて確保する構成を示すが、所定の傾斜はカードモジユール１０かコネクター４のいずれ、または両方で形成することが可能である。
【０００９】上記するように、カードモジユール１０を所定の傾斜角度のガイドに沿って挿抜することによりカード端子ＴＰは、推奨される角度で安定的にコネクトピンＣＰに挿抜されるためコネクトピンに傷を付けたり破損したりすることが防止されることにより、メーカーが規定する挿抜回数は確実に維持されるとともに更なる延命も可能となる。さらに、本考案では挿抜保障回数の少ないＭ．２規格のコネクター４をコネクター以外の回路などを組み込まず最低限の接続部品のみで、小サイズ、低価格、交換容易なコネクターユニット５を構成することにより、Ｍ．２規格  ＳＳＤのカードモジュールへのデータ書き込み検査などの工程など、挿抜回数が多くなる作業においてコネクターの交換による負担を大幅に低減する極めて有効な手段である。
【実施例】
【００１０】Ｍ．２規格  ＳＳＤカードモジュールとして、外形寸法（Ｌ×Ｗ×Ｈ）：８０．５×２２．１５×２．３８ｍｍのＭ．２規格  ＳＳＤカードモジュールに適合させるガイド構造は、図８に示すように、カードモジュール幅（Ｗ）に対して２５ｍｍ幅のガイド壁の間にカードモジュールを嵌め込み、両サイドに形成する２．５ｍｍ幅のレール部分にカードモジュールの部品非実装の両端の隙間部を載せて、ネクターの挿入口に向けてカードモジュールを指で滑らせてコネクターに挿抜する。ガイド構造は７５×３５×１５ｍｍで静電気に配慮して、導電性の硬質樹脂で形成する。ガイド構造の傾斜角度は採用したコネクターの規格が２０度のため、アルミで形成するロック構造３を立てた状態でガイド構造が２０度の傾斜となり、
倒すことにより０度になるディメンジョンとした。本ガイド構造によりカードモジュールは挿抜中において傾斜、蛇行することなく規定する傾斜を維持しつつ挿抜される。【００１１】さらに、挿抜保障回数の少ないＭ．２規格のコネクター４を周辺回路を取り込まず、周辺回路と接続する回路コネクター６の搭載程度としたコネクターユニット５を構成する事により、Ｍ．２規格  ＳＳＤのカードモジュールへのデータ書き込み検査などの工程など挿抜回数が多くなる作業においてコネクターの交換による負担を大幅に低減できる。Ｍ．２規格  ＳＳＤなどのカードモジュールには多様なサイズが有るため、ガイド構造は多様性を確保する必要があるが、多様性に適応するためには、ガイド構造をサイズ可変に形成してカードモジュールサイズにそれぞれ適合させる方法や、カードモジュールサイズに適合するガイド構造に交換可能に構成するなどの方法が可能である。ガード構造に関しては指でカードモジュールを滑らせる方法に限らず、カードモジュールを構造的にコネクターに向けて押し出す方法、ロック構造に関してもロック機構を回転させずに抜き差しする方法なと、機能、構成、構造、ディメンジョンなどは本考案の趣旨を逸脱しない範囲であれば種々変形、応用が可能である。
【図面の簡単な説明】
【００１２】
【図１】本考案に基づくカードモジュールの挿抜構造例を示す概念図
【図２】従来の挿抜構造によるカードモジュール挿着手順を示す概念図  （１）装着開始  （２）装着中  （３）装着完了
【図３】本考案の挿抜構造によるカードモジュール挿着手順を示す概念図  （１）装着開始  （２）装着中  （３）装着完了
【図４】カードモジユールの一例を示す概念図
【図５】コネクターユニットを示す概念図
【図６】カードモジユールを所定角度で傾斜させて斜めに挿着する状態を示す概念図  （１）装着開始  （２）装着中  （３）装着完了
【図７】コネクターユニットを所定角度傾斜させて斜めに挿着する状態を示す概念図  （１）装着中  （２）装着完了
【図８】ガイド構造を示す概念図
【符号の説明】１．ガイド構造
２．ガイド回転軸
３．ロック構造
４．コネクター
５．コネクターユニット
６．回路コネクター
７．カード押えピン
８．ピン位置設定構造
９．ベース材
１０．カードモジユール
１１．カードモジュール止め溝
１２．カード押えピン
ＣＰ．コンクトポイント
ＴＰ．カード端子
【図１】
0003215830.tif 000003
【図２】
0003215830.tif 000004
【図３】
0003215830.tif 000005
【図４】
0003215830.tif 000006
【図５】
0003215830.tif 000007
【図６】
0003215830.tif 000008
【図７】
0003215830.tif 000009
【図８】
0003215830.tif 000010